(57)【要約】【課題】軽量で持運び易く、楽な姿勢で長時間の鑑賞でも疲れないで、映画等を鑑賞できるスマートフォン鑑賞補助具を提供する。【解決手段】人体の頭部又は臀部を載せる板状の台部と、該台部の一つの側面に設けられ、該側面に対し平行方向に回動自在に回動固定部と、該回動固定部から延びた棒体部と、該棒体の他端部に設けられ回動自在に、しかも固定可能な角度を調整できる角度調整部と、該角度調整部の他端に設けられ、スマートフォン又はタブレット型端末を挟持できる挟持部と、から構成されることを特徴とするスマートフォン鑑賞補助具。【選択図】図１
2018182581.tif 000002
【特許請求の範囲】
【請求項１】
人体の頭部又は臀部を載せる板状の台部と、該台部の一つの側面に設けられ、該側面に対し平行方向に回動自在に回動固定部と、該回動固定部から延びた棒体部と、該棒体の他端部に設けられ回動自在に、しかも固定可能な角度を調整できる角度調整部と、該角度調整部の他端に設けられ、スマートフォン又はタブレット型端末を挟持できる挟持部と、から構成されることを特徴とするスマートフォン鑑賞補助具。
【請求項２】
前記台部が、中央部の位置で、上面を上にして山折で２つに折り畳めることを特徴とする請求項１に記載のスマートフォン鑑賞補助具。
【請求項３】
前記台部が、上面にクッション材を備えたことを特徴とする請求項１又は２に記載のスマートフォン鑑賞補助具。
【請求項４】
前記棒体部が、金属製又は合成樹脂製の多重の管体であって、伸縮自在でかつ回動可能に向きを変えて、固定できることを特徴とする請求項１又は２又は３に記載のスマートフォン鑑賞補助具。
【請求項５】
前記挟持部が、それぞれの先端部が弾性体によって伸縮自在になっており、片面にスマートフォンを、背面にタブレット端末を、挟持して固定できることを特徴とする請求項１から４のいずれかに記載のスマートフォン鑑賞補助具。
【請求項６】
前記台部と、前記回動固定部と、前記角度調整部と、前記把持部が、主に合成樹脂製であることを特徴とする請求項１から５のいずれかに記載のスマートフォン鑑賞補助具。
【発明の詳細な説明】
【技術分野】
【０００１】
本発明は、コンパクトかつ軽量で持ち運び易く、頭部や腰部などの人体を重石にしてにスマートフォンを支え、手ぶらで快適に、映画や動画を鑑賞できるスマートフォン鑑賞補助具に関するものである。
【背景技術】
【０００２】
近年、インターネットやスマートフォンの普及とともに、スマートフォンで、映画や動画を鑑賞することが日常的に行われてきている。それに伴い、動画等の鑑賞を快適にするために様々な発明がされてきており、例えば、背面に設けられたスピーカーでも、前方に大きな音を出力し、ヘッドホンを用いずに、快適に視聴できるスマートフォン収納ケースが先行技術として開示されている（文献１）。
【先行技術文献】
【特許文献】
【０００３】
【特許文献１】特開第２０１６−３６６９３号公報。
【発明の概要】
【発明が解決しようとする課題】
【０００４】
先行技術のスマートフォン収納ケースは、背面にスピーカーのあるスマートフォンにおいて、ヘッドホンを用いずに、動画等の音を、前方に大きな音で出力できるという点で優れているが、動画を観る際は、ケースの背面に設けられたスタンドを立てて鑑賞するため、テーブルや台の上において視聴しなければならず、長時間の映画鑑賞では、例えば、寝転がった姿勢をして、スマートフォンを間近で鑑賞するというような、楽な姿勢では視聴し辛く、長時間の鑑賞には不向きであった。
【０００５】
本発明は、このような問題を解決したものであって、軽量で持運び易く、楽な姿勢で長時間の鑑賞でも疲れないで、映画等を鑑賞できるスマートフォン鑑賞補助具を提供するものである。
【課題を解決するための手段】
【０００６】
本発明の請求項１に係るスマートフォン鑑賞補助具は、人体の頭部又は臀部を載せる板状の台部と、該台部の一つの側面に設けられ、該側面に対し平行方向に回動自在に、しかも固定可能な回動固定部と、該回動固定部から延びた棒体部と、該棒体部の他端部に設けられ回動自在に、しかも固定可能な角度を調整できる角度調整部と、該角度調整部の他端に設けられ、スマートフォン又はタブレット型端末を挟持できる挟持部と、から構成されることを特徴とする。
【０００７】
この構成を採用することによって、本発明のスマートフォン鑑賞補助具は、回動固定部によって、棒体部を回動させて棒体部を起こし、そして、挟持部にスマートフォンを挟み角度調整をして固定し、そして、板状の台部に、人の頭部や臀部を載せて重石として、縦長の構造のスマートフォン鑑賞補助具を安定して立設し、スマートフォンの映画や動画等を鑑賞することができる。よって、寝転がった姿勢や、ソファーでリクライニングした状態で、また、両手を空けた状態で映画等を鑑賞できるので、腕や手が疲れず、また、飲食等も自由にできるので、長時間の鑑賞を快適に過ごすことができる。
【０００８】
また、本発明の請求項１に係るスマートフォン鑑賞補助具は、使用しない際には、挟持部を棒体部側に折り畳んで小さくし、また、棒体部を回動させて、台部の側面に沿わせてコンパクトにして、持ち運びしやすくできる。よって、本発明のスマートフォンは、直立させるための重石が使用者自身なので、重石が不要となり、軽量であって、しかもコンパクトなので、持ち運びに便利で、旅行や出張に持って行き易い。
【０００９】
本発明の請求項２に係るスマートフォン鑑賞補助具は、請求項１に記載のスマートフォン鑑賞補助具において、前記台部が、中央部の位置で、上面を上にして山折で２つに折り畳めることを特徴とする。また、本発明の請求項３に係るスマートフォン鑑賞補助具は、請求項１又は２に記載のスマートフォン鑑賞補助具において、前記台部が、上面にクッション材を備えたことを特徴とする。
【００１０】
これの構成を採用することにより、本発明のスマートフォン鑑賞補助具は、台部を２つに折り畳んでコンパクトに収納することができるので、持ち運びに便利である。また、台部の上面にクッション材を備えているので、鑑賞者の頭部や臀部を置いても痛くない。よって、長時間の映画等を快適に鑑賞することができる。
【００１１】
本発明の請求項４に係るスマートフォン鑑賞補助具は、請求項１又は２又は３に記載のスマートフォン鑑賞補助具において、前記棒体部が、金属製又は合成樹脂製の多重の管体であって、伸縮自在でかつ回動可能に向きを変えて、固定できることを特徴とする。また、本発明の請求項５に係るスマートフォン鑑賞補助具は、請求項１から４のいずれかに記載のスマートフォン鑑賞補助具において、前記挟持部が、それぞれの先端部が弾性体によって伸縮自在になっており、片面にスマートフォンを、背面にタブレット端末を、挟持して固定できることを特徴とする。また、本発明の請求項６に係るスマートフォン鑑賞補助具は、請求項１から５のいずれかに記載のスマートフォン鑑賞補助具において、前記台部と、前記回動固定部と、前記角度調整部と、前記把持部が、主に合成樹脂製であることを特徴とする。
【００１２】
これらの構成を採用することにより、本発明に係るスマートフォン鑑賞補助具は、棒体部が伸縮自在で回転可能に固定できるので、丁度鑑賞しやすい距離と向きにスマートフォンを固定できる。また、本発明に係るスマートフォン鑑賞補助具の挟持部は、片面にスマートフォンを挟持でき、また、その背面にタブレット端末を挟持できるので、大きさの異なるスマートフォンとタブレット端末のどちらでも保持して鑑賞することができる。また、本発明に係るスマートフォン鑑賞補助具は構成する部材が主に合成樹脂製であるので軽量であり、取扱いが容易で、かつ、持ち運びの際にも疲れにくい。
【発明の効果】
【００１３】
本発明に係る請求項１から６に記載のスマートフォン鑑賞補助具によれば、軽量で強靭な材質を用いており、また、直立させるための重石に、人体を利用するので本発明は大変軽量で、しかも、折り畳んでコンパクトに収納できるので、持ち運びしやすく、旅行や出張に持って行き易い。また、クッション材を備えており、また、両手放しで鑑賞できるので、人体への負荷が少なく長時間の映画等の鑑賞でも快適に過ごすことができる。
【図面の簡単な説明】
【００１４】
【図１】図１は、本発明を実施するための形態に係るスマートフォンの鑑賞補助具の模式的斜視図である。
【図２】図２は、本発明を実施するための形態に係るスマートフォンの鑑賞補助具の収納状態を示す模式的斜視図である。
【図３】図３は、本発明を実施するための形態に係るスマートフォンの鑑賞補助具の挟持部であって、（ａ）は模式的正面図、（ｂ）は（ａ）のＡ−Ａ矢視断面図、（ｃ）は模式的背面図である。
【図４】図４は、本発明を実施するための形態に係るスマートフォンの鑑賞補助具の使用状態を示す模式的斜視図である。
【図５】図５は、本発明を実施するための形態に係るスマートフォンの鑑賞補助具の別の形態の使用状態を示す模式的斜視図である。
【発明を実施するための形態】
【００１５】
本発明に係るスマートフォン鑑賞補助具１は、図１に示すように、台部２と、台部２の側面の一つに設けられ、該側面と平行に回動自在に固定できる回動固定部３と、回動固定部３から延びた回動自在に固定できる棒体部４と、棒体部４の他端部に設けられ、角度を変えて固定できる角度調整部５と、角度調整部５の他端に設けられ、スマートフォン２０を挟持して固定する挟持部６と、を少なくとも備えている。
【００１６】
台部２は、図１、図２に示すように、２つの台部２−１、２−２は、蝶番（図示しない）で連結されており、２分割できるようになっている。よって、スマートフォン鑑賞補助具１を使用しない際は、コンパクトに折り畳むことができる。また、図４、図５に示すように、それぞれの台部２−１、２−２の上面にはクッション材２−３が備えられ、人体の頭部１０−１や臀部１０−２を載せる際に痛くならない。また、台部２は、合成樹脂製であって、軽量で丈夫であり、クッション材２−３は、ウレタン等の発泡した合成樹脂材を用いることができる。また、台部２−１の側面には、該側面に略平行に回動して固定できる回動固定部３を備えている。
【００１７】
回動固定部３は、合成樹脂製であって、台部２−１の側面から直角方向に伸びた軸を中心として、その軸に直角方向に回転して固定できる棒体部４を備えている。よって、棒体部４をスマートフォン２０を鑑賞するのに見やすい角度に設定できる。
【００１８】
棒体部４は、アルミ等のような金属製又は合成樹脂製の多重の管体であって、回動固定部３に接続し、伸縮自在で、かつ、軸が回転して、長さと回転角度を固定できる。また、他端部に角度調整部５を備えている。よって、スマートフォン２０を鑑賞するのに見やすい距離と角度に設定できる。
【００１９】
角度調整部５は、合成樹脂製であって、棒体部４の先端部に設けられており、他端側に備えられた挟持部６の棒体部４からの角度を調整し、また、挟持部６を回転させて、固定することができる。よって、スマートフォン２０を鑑賞するのに見やすい向きに設定できる。図２に示すように、収納時には、棒体部４に対し、１８０度折り曲げてコンパクトに収納できる。
【００２０】
挟持部６は、合成樹脂製であって、図３に示すように、角度調整部５の先端部に設けられており、片面にスマートフォン挟持部６−１を備えて、スマートフォン２０を挟持して固定することができ、その背面にタブレット挟持部６−２を備えて、タブレット型端末を挟持して固定することができる。挟持部６の中に、弾性体が入っており、分割部６−３で分割された先端部が伸びて、スマートフォン２０やタブレット型端末２１を引掛けた後、金属製の弾性体によって先端部が縮んで挟むことができて固定できる。
【００２１】
次に、スマートフォン鑑賞補助具１の製造方法の一例を説明する。台部２−１、２−２を射出成型で製造し、発泡ウレタンをクッション材２−３として、台部の上面に接着する。そして、台部２−１の側面に穴を開け、該側面に軸を通して、内側にボールジョイントの機構を入れて該側面を挟み、回動固定部３を回動自在に固定できるようにする。そして、角度調整部５を先端に備えた侵食自在で、かつ長さを固定できる棒体部４を前記回動固定部３の軸と直交するように固定しする。角度調整部５の他端には、同様に、自撮り棒のスマートフォン固定具を両面に大小備えた挟持部６を軸着する。そして、台部２−１と台部２−２とを蝶番で連結してスマートフォン鑑賞補助具１は、完成する。
【００２２】
次に、本発明に係るスマートフォン鑑賞補助具１の使用方法の一例を説明する。図４に示すように、スマートフォン鑑賞補助具１の台部２−１と台部２−２とを開いて床に置く。そして、挟持部６を開きながら、棒体部４を起こして、見やすい位置まで回動固定部３を回して、回動固定部を固定する。使用者１０は、台部２のクッション２−３に頭部１０−１を載せる。そして、棒体部４を見やすい距離まで伸ばして固定し、挟持部６−１にスマートフォン２０を挟んで見やすい位置になるように角度と向きを角度調整部５で調整して固定する。スマートフォン２０の映画のスターとボタンを押して鑑賞する。
【００２３】
収納する際は、図２に示すように、棒体部４を手で握って、スマートフォン鑑賞補助具１が倒れないようにしてから、頭部１０−１をクッション２−３から外す。そして、スマートフォン２０を挟持部６−１から外した後、挟持部６を挟持部６−２が棒体部４の側になるように折り返して、棒体部４を縮めてから台部２の側面に沿うようにコンパクトにしてから、台部２−２を折り返して、蝶番と反対側にある留金（図示しない）で固定して、袋等の入れ物に収納する。
【００２４】
また、本発明に係るスマートフォン鑑賞補助具１の別の形態の使用方法の一例を説明する。図５に示すように、マートフォン鑑賞補助具１の台部２−１と台部２−２とを開いてソファーの座面に置く。そして、挟持部６を開きながら、棒体部４を起こして、見やすい位置まで回動固定部３を回して、回動固定部を固定する。使用者は、台部２のクッション２−３に臀部１０−２を載せる。そして、棒体部４を見やすい距離まで伸ばして固定し、挟持部６−１にスマートフォン２０を挟んで見やすい位置になるように角度と向きを角度調整部５で調整して固定する。スマートフォン２０の映画のスターとボタンを押して鑑賞する。
【００２５】
また、タブレット型端末を鑑賞する際には、スマートフォン挟持部６−１にスマートフォン２０を挟んで固定する代わりに、タブレット挟持部６−２にタブレット型端末を挟んで固定する。
【００２６】
本発明のスマートフォン鑑賞補助具１は、収納時にコンパクトであって、また、自立させるのに重石を用いず、人体を重石代わりに使っているから、軽量であるので持運びに最適である。また、鑑賞するのに両手が空いているので疲れず、快適であり、飲食等も十分可能であり、スマートフォン２０で長時間でも快適に映画等を鑑賞して過せる。また、クッション２−３が備えてあるので、頭部１０−１や臀部１０−２を載せた際に痛くなく、長時間の鑑賞の際にも快適に過ごせる。
【産業上の利用可能性】
【００２７】
携帯端末の分野で広く利用できる。
【符号の説明】
【００２８】
１：スマートフォン鑑賞補助具
２：台部        
２−１：台部（基本部）        ２−２：台部（折畳部）
２−３：クッション材      
３：回動固定部
４：棒体部                    ４−１：伸縮部
５：角度調整部
６：挟持部
６−１：スマートフォン挟持部  ６−２：タブレット挟持部
６−３：分割部                ６−４：弾性体
１０：使用者
１０−１：頭部              １０−２：臀部
２０：スマートフォン
２１：タブレット型端末
【図１】
2018182581.tif 000003
【図２】
2018182581.tif 000004
【図３】
2018182581.tif 000005
【図４】
2018182581.tif 000006
【図５】
2018182581.tif 000007